(57)【要約】      （修正有）【課題】人体の最も寒さに弱い特定部位（例えば、足裏、腰部、頭部、首、耳など）を保温する電熱服／パンツ及びその装着品を提供する。【解決手段】電熱服は、服、少なくとも１の電熱素子１０２、少なくとも１の制御素子１０４および少なくとも１の電池１０６を含む。少なくとも１の制御素子１０４は服に固定され、服には少なくとも１のポケットが縫い付けられ、少なくとも１の制御素子１０４と少なくとも１の電池１０６を載置可能であり、服には複数のポケットが、胸に数個、背中に数個縫い付けられ、それぞれに少なくとも１の電熱素子１０２が装入される。【選択図】図１
0003196166.tif 000002
【実用新案登録請求の範囲】
【請求項１】
電熱服であって、
服と、
シリコーンゴム電熱シートである少なくとも１の電熱素子と、
前記服に固定される少なくとも１の制御素子とを含み、
前記少なくとも１の制御素子は、
プラグ素子、
前記プラグ素子に電気接続されるともに、電線を介して前記少なくとも１の電熱素子に電気接続されて、多段式温度制御を実行可能であるマイクロコントローラ、
電線を介して前記プラグ素子に電気接続される少なくとも１の電池、を含み、
前記服には少なくとも１のポケットが縫い付けられ、前記少なくとも１の制御素子と前記少なくとも１の電池を載置可能であり、
前記服には複数のポケットが、胸に数個、背中に数個縫い付けられ、それぞれに前記少なくとも１の電熱素子が装入される、電熱服。
【請求項２】
前記少なくとも１の電池は５．０ボルトのリチウム電池である請求項１記載の電熱服。
【請求項３】
電熱パンツであって、
パンツと、
シリコーンゴム電熱シートである少なくとも１の電熱素子と、
前記パンツに固定される少なくとも１の制御素子とを含み、
前記少なくとも１の制御素子は、
プラグ素子、
前記プラグ素子に電気接続されるともに、電線を介して前記少なくとも１の電熱素子に電気接続されて、多段式温度制御を実行可能であるマイクロコントローラ、
電線を介して前記プラグ素子に電気接続される少なくとも１の電池、を含み、
前記パンツには少なくとも１のポケットが縫い付けられ、前記少なくとも１の制御素子と前記少なくとも１の電池を載置可能であり、
前記パンツには複数のポケットが、臀部に数個、足部に数個縫い付けられ、それぞれに前記少なくとも１の電熱素子が装入される、電熱パンツ。
【請求項４】
電熱装着品であって、
装着品と、
シリコーンゴム電熱シートである少なくとも１の電熱素子と、
前記装着品に固定される少なくとも１の制御素子とを含み、
前記少なくとも１の制御素子は、
プラグ素子、
前記プラグ素子に電気接続されるともに、電線を介して前記少なくとも１の電熱素子に電気接続されて、多段式温度制御を実行可能であるマイクロコントローラ、
電線を介して前記プラグ素子に電気接続される少なくとも１の電池、を含み、
前記装着品には少なくとも１のポケットが縫い付けられ、前記少なくとも１の制御素子と前記少なくとも１の電池を載置可能であり、
前記装着品には複数のポケットが縫い付けられ、それぞれに前記少なくとも１の電熱素子が装入される、装着品。
【請求項５】
電熱装着品であって、
装着品と、
バンドと、
シリコーンゴム電熱シートである少なくとも１の電熱素子と、
前記バンドに固定される少なくとも１の制御素子とを含み、
前記少なくとも１の制御素子は、
プラグ素子、
前記プラグ素子に電気接続されるともに、電線を介して前記少なくとも１の電熱素子に電気接続されて、多段式温度制御を実行可能であるマイクロコントローラ、
電線を介して前記プラグ素子に電気接続される少なくとも１の電池、を含み、
前記バンドには複数のポケットが縫い付けられ、それぞれに前記少なくとも１の制御素子と前記少なくとも１の電池が装入される、電熱装着品。
【考案の詳細な説明】
【技術分野】
【０００１】
本考案は電熱服／パンツおよびその装着品に関し、特に、人体における最も寒さに弱い部位を保温する電熱服／パンツおよびその装着品に関する。
【背景技術】
【０００２】
現在、市場には電熱装置を様々なタイプとした電熱服があり、電熱装置はさらに、電熱線配線、超伝導シート、導電性糸を編んだもの、ゴム電熱シートの４種類に分けられる。電熱線配線は電熱線配線回路方式を用い、その接点で発熱して高温とするが、現在のところ、従来の電熱線によくみられる欠点として、（１）電熱線の分布にむらがあるため、発熱むらにより一部が過度に熱くなるとの影響が生じる、（２）電熱線自体には防水機能がないため、防水シート（例えば：）で別途覆わなければ、湿潤環境において（例えば洗濯時）金属酸化による腐食が発生してしまう、（３）電熱線が衣服に縫い込まれること、さらには電熱線自体が比較的硬質であるとの特性から、衣服の形状や肌触りに影響してしまう、（４）電熱線と衣服の繊維との間には付着力が存在しないため、電熱線が衣服から容易に抜け落ちてしまう、（５）何度も湾曲させると湾曲箇所が容易に破断してショートし、発熱しなかったり漏電したりしてしまう、といったものがある。電熱線に代えて軽量の炭素繊維発熱シートを発熱ツールとする改良技術もあるが、炭素繊維発熱シートはやや高価であり、衝撃により破断しやすく、展延性に欠け、かつ、あまり大きな圧力による押圧には耐えられないとの欠点がある。
【０００３】
一方、超伝導シート電熱装置は、薄いニッケルシートによるエッチング回路の接点で発熱して高温とするが、薄いニッケルシートの上下には絶縁機能を備えたＭｙｌａｒ（汎用性プラスチック材料）がさらに貼付されることから、何度も湾曲すると湾曲箇所が容易に破断してショートし、発熱しなかったり漏電したりする。また、導電性糸を編んだものは、細いワイヤー（通常は金属繊維）を導電性糸とし、紡織技術によって絹織と組み合わせた後に衣服に縫い込む。この種の電熱装置を備えた電熱服は比較的高価であり、かつ無数の接点が存在することから、複数のワイヤーが破断しない限りはワイヤーの破断によって発熱作用が失われることはない。しかし、依然としてワイヤーの酸化問題は残る。
【０００４】
また、ゴム発熱シートは現在知られている中で最も安全な発熱シートである。複合ゴム圧延成型を採用し、配線をゴム内に埋め込んで無数の接点を形成しており、回路の問題が存在しないことから、温度は平均的に各面積に分散し、半田の接点は存在するものの、半田の接点温度が集中的に高温となることはない。そして、何度でも湾曲可能であり、破断やショートといった状況は発生しない。さらに、ゴム材質は良好な耐摩耗性、高い弾性、引っ張り強度および伸び率を備えている。しかし、ゴムは空気に晒されると容易に劣化し、かつ、熱によりべたつきやすい。このほか、現在一般的に市販されている電熱服に用いられる電池は７．４ボルトのリチウム電池であるが、７．４ボルトのリチウム電池は一般市場で入手しにくいため、電熱服のリチウム電池に問題が発生しても交換が難しい。さらに、市販の電熱服における電熱線、超伝導シート、導電性糸を織ったもの、あるいはゴム電熱シートは、配設位置が人体の最も寒さに弱い部位に対して設けられてはおらず、保温効果が限定的である。
【０００５】
したがって、上述したように、上記で言及した多くの課題を解決するための新たな電熱装置の開発が切望されている。
【考案の概要】
【０００６】
上述の周知の課題に鑑みて、本考案は、電熱シートがシリコーンゴム電熱シートであり、シリコーンゴム電熱シートが導電性素子とシリコーンゴムから構成される電熱服／パンツを提供することを目的とする。シリコーンゴムは良好な電気絶縁性のほか、良好な熱伝導効果も備え、導電性素子により発生する一部の熱エネルギーをシリコーンゴムに吸収させた後に、熱エネルギーを均一にシリコーンゴム内に分布させることが可能である。よって、従来の電熱服／パンツにおける使用時の一部過熱との欠点が効果的に改善されるので、使用者はシリコーンゴムとの接触面において均一に熱を受けることが可能となり、火傷することがなく、かつ、身体の特定部位を保温可能となる。また、シリコーンゴムはきわめて良好な防水機能を有するため、湿潤な環境（例えば洗濯時）において電熱服／パンツの洗浄が可能となる。
【０００７】
本考案の他の目的は、人体の最も寒さに弱い特定部位（例えば、足裏、腰部、頭部、首、耳など）を保温する改良型の電熱装着品を提供することであって、前記電熱装着品に用いられる電熱シートがシリコーンゴム電熱シートとされる。前記シリコーンゴム電熱シートのシリコーンゴムの耐熱温度は２５０℃にも達することから、導電性素子に突発的な過熱状況が発生したとしても、シリコーンゴムの構造は良好な安定性を維持可能である。
【０００８】
本考案の第１の視点として、本考案の電熱服は、服、少なくとも１の電熱素子、少なくとも１の制御素子および少なくとも１の電池を含む。少なくとも１の制御素子は服に固定されるとともに、プラグ素子とマイクロコントローラを含み、マイクロコントローラはプラグ素子に電気接続されるともに、電線を介して少なくとも１の電熱素子に電気接続されて多段式温度制御を実行可能であり、少なくとも１の電池は電線を介してプラグ素子に電気接続され、服には少なくとも１のポケットが縫い付けられ、少なくとも１の電熱素子と少なくとも１の電池を載置可能であり、服には複数のポケットが、胸に数個、背中に数個縫い付けられ、それぞれに少なくとも１の電熱素子が装入される。
【０００９】
本考案の第２の視点として、本考案の電熱パンツは、パンツ、少なくとも１の電熱素子、少なくとも１の制御素子および少なくとも１の電池を含む。少なくとも１の制御素子はパンツに固定されるとともに、プラグ素子とマイクロコントローラを含み、マイクロコントローラはプラグ素子に電気接続されるともに、電線を介して少なくとも１の電熱素子に電気接続されて多段式温度制御を実行可能であり、少なくとも１の電池は電線を介してプラグ素子に電気接続され、パンツには少なくとも１のポケットが縫い付けられ、少なくとも１の電熱素子と少なくとも１の電池を載置可能であり、パンツには複数のポケットが、臀部に数個、足部に数個縫い付けられ、それぞれに少なくとも１の電熱素子が装入される。前記電熱服および電熱パンツにおける少なくとも１の電熱素子はシリコーンゴム電熱シートである。
【００１０】
本考案の第３の視点として、本考案は、装着品、少なくとも１の電熱素子、少なくとも１の制御素子および少なくとも１の電池を含む電熱装着品を提供する。少なくとも１の制御素子は前記装着品に固定され、少なくとも１の制御素子はプラグ素子とマイクロコントローラを含み、マイクロコントローラはプラグ素子に電気接続されるともに、電線を介して少なくとも１の電熱素子に電気接続されて多段式温度制御を実行可能であり、少なくとも１の電池は電線を介してプラグ素子に電気接続され、装着品には少なくとも１のポケットが縫い付けられ、少なくとも１の電熱素子と少なくとも１の電池を載置可能であり、装着品には複数のポケットが縫い付けられ、それぞれに少なくとも１の電熱素子が装入される。また、少なくとも１の電熱素子はシリコーンゴム電熱シートである。
【００１１】
本考案の第４の視点として、本考案は、装着品、バンド、少なくとも１の電熱素子、少なくとも１の制御素子および少なくとも１の電池を含む電熱装着品を提供する。少なくとも１の制御素子は、前記バンドに固定されるとともにプラグ素子とマイクロコントローラを含み、マイクロコントローラはプラグ素子に電気接続されるともに、電線を介して少なくとも１の電熱素子に電気接続されて多段式温度制御を実行可能であり、少なくとも１の電池は電線を介してプラグ素子に電気接続され、前記バンドには複数のポケットが縫い付けられ、それぞれに前記少なくとも１の制御素子と前記少なくとも１の電池が装入される。少なくとも１の電熱素子はシリコーンゴム電熱シートである。
【００１２】
前記電熱服／パンツおよびその装着品に用いられる電池は、一般的な５．０ボルトのリチウム電池であってもよい。
【図面の簡単な説明】
【００１３】
【図１】図１は、電熱服の素子配置を示す図である。
【図２】図２は、別の電熱服における素子配置を示す図である。
【図３】図３は、電熱パンツの素子配置を示す図である。
【図４】図４は、電熱手袋の素子配置を示す図である。
【図５】図５は、電熱腰サポーターの素子配置を示す図である。
【図６】図６は、電熱インソールの素子配置を示す図である。
【考案を実施するための形態】
【００１４】
本考案は、以下の詳細な説明と本考案における各種実施例の図面を組み合わせることでさらに完全に理解可能となるが、これらは本考案を特定の実施例に限定するためのものではなく、説明または理解のために供されるにすぎない。
【００１５】
以下、特定の具体的実施例を用いて本考案の実施形態を説明するが、当業者は本明細書に開示の内容より、本考案における効果および利点を容易に理解可能である。かつ、本考案はその他の具体的実施例によっても運用および実施が可能であり、本明細書で詳述する各詳細事項は必要に応じて応用可能であるとともに、本考案の精神から逸脱しないことを前提に各種の追加または変更が可能である。
【００１６】
本考案は、好ましい実施例および視点によって記載するが、これら記載で詳細に説明する本考案の構造は説明のために供されるにすぎず、本考案の権利範囲を限定するものではない。したがって、明細書の好ましい実施例以外に、本考案はその他の実施例にも幅広く実施可能である。
【００１７】
図１は、電熱服の素子配置を示す図である。本実施例の電熱服は、服、少なくとも１の電池１０６、少なくとも１の電熱素子１０２、少なくとも１の制御素子１０４を含む。前記少なくとも１の制御素子は前記服に固定されるとともに、プラグ素子とマイクロコントローラを含む。マイクロコントローラはプラグ素子に電気接続されるともに、電線を介して少なくとも１の電熱素子に電気接続されて、多段式温度制御を実行可能である。少なくとも１の電池はプラグ素子に電気接続される。服には少なくとも１のポケットが縫い付けられ、少なくとも１の電熱素子と少なくとも１の電池を載置可能である。服には複数のポケットが、胸に数個、背中に数個縫い付けられ、それぞれに前記少なくとも１の電熱素子が装入される。前記少なくとも１の電熱素子はシリコーンゴム電熱シートである。
【００１８】
実施例によっては、２つのポケットを電熱服の胸に縫い付けるとともに、３つのポケットを電熱服の背中に縫い付け、それぞれに電熱素子を装入する。電熱服の胸部における電熱素子の載置位置は、人体の胸部と心臓を保温するよう設計され、電熱服の背中における電熱素子の載置位置は、人体の背部と腰部を保温するよう設計されている。そして、それぞれに電池が装入される。また、２つの制御素子を前記服の胸箇所に固定するとともに、電池を載置するために、２つのポケットを２つの制御素子の下方に別途縫い付ける。
【００１９】
一実施例では、図２に示すように、服に複数のポケットを胸に２つ、背中に２つ縫い付け、それぞれに電熱素子を装入する。また、制御素子を前記服の胸箇所に１つ固定するとともに、電池を載置するために、１つのポケットを前記制御素子の下方に別途縫い付ける。
【００２０】
図３は、電熱パンツの素子配置を示す図である。本実施例の電熱パンツは、パンツ、少なくとも１の電池１０６、少なくとも１の電熱素子１０２、少なくとも１の制御素子１０４を含む。前記少なくとも１の制御素子は前記パンツに固定されるとともに、プラグ素子とマイクロコントローラを含む。マイクロコントローラはプラグ素子に電気接続されるともに、電線を介して少なくとも１の電熱素子に電気接続されて、多段式温度制御を実行可能である。少なくとも１の電池はプラグ素子に電気接続される。パンツには少なくとも１のポケットが縫い付けられ、少なくとも１の電熱素子と少なくとも１の電池を載置可能である。ズボンには複数のポケットが縫い付けられ、それぞれに少なくとも１の電熱素子が装入される。前記少なくとも１の電熱素子はシリコーンゴム電熱シートとしてもよい。
【００２１】
一実施例では、電熱パンツに３つのポケットを、臀部に１つ、足部に２つ縫い付け、それぞれに電熱素子を装入する。電熱パンツにおける電熱素子の載置位置は、人体の臀部と足部を保温するよう設計される。また、一実施例では、電熱パンツに４つのポケットを、臀部に２つ、足部に２つ縫い付け、それぞれに電熱素子を装入する。
【００２２】
実施例によっては、制御素子を前記パンツの腰部位置に１つ固定し、電池を載置するために、１つのポケットを１つの制御素子の下方に別途縫い付ける。
【００２３】
実施例によっては、前記電熱服／パンツに用いられるシリコーンゴム電熱シートは、シリコーンゴムを絶縁体として完全に導電性素子を覆い、発熱素子より発生した熱エネルギーをシリコーンゴムに十分に吸収させる。前記電熱服および電熱パンツに用いられる電池は、５．０ボルトのリチウム電池である。一実施例では、前記電熱服および電熱パンツに用いられる電池はグラフェン電池としてもよい。
【００２４】
本考案は電熱装着品にも応用可能であり、本実施例の電熱装着品は、装着品、少なくとも１の電池１０６、少なくとも１の電熱素子１０２、少なくとも１の制御素子１０４を含む。少なくとも１の電熱素子はシリコーンゴム電熱シートである。また、前記少なくとも１の制御素子は前記装着品に固定されるとともに、プラグ素子とマイクロコントローラを含む。マイクロコントローラはプラグ素子に電気接続されるともに、電線を介して少なくとも１の電熱素子に電気接続されて、多段式温度制御を実行可能である。少なくとも１の電池はプラグ素子に電気接続される。装着品には少なくとも１のポケットが縫い付けられ、少なくとも１の制御素子と少なくとも１の電池を載置可能である。装着品には複数のポケットが縫い付けられ、それぞれに前記少なくとも１の電熱素子が装入される。一実施例において、前記装着品は手袋、腰サポーター、マフラーとしてもよい。
【００２５】
図４は、電熱手袋の素子配置を示す図である。当該手袋の指位置には５つのポケットが縫い付けられ、それぞれに前記少なくとも１の電熱素子が装入される。前記手袋の親指付近には制御素子が１つ固定され、電池を１つ載置するために、手袋の手の平に別途ポケットが１つ縫い付けられる。
【００２６】
図５は、電熱腰サポーターの素子配置を示す図である。電熱腰サポーターにはポケットが１つ縫い付けられ、それぞれに電熱素子が１つ装入される。さらに、電熱腰サポーターには制御素子が１つ固定され、電池を載置するために、電熱腰サポーターには別途ポケットが１つ縫い付けられる。一実施例において、電熱マフラーにはポケットが１つ縫い付けられ、それぞれに電熱素子が１つ装入される。さらに、電熱マフラーには制御素子が１つ固定され、電池を載置するために、電熱マフラーには別途ポケットが１つ縫い付けられる。
【００２７】
実施例によっては、電熱装着品は、装着品およびバンド２０２、少なくとも１の電熱素子１０２、少なくとも１の制御素子１０４、少なくとも１の電池１０６を含む。制御素子はバンドに固定され、少なくとも１の制御素子はプラグ素子とマイクロコントローラを含み、前記マイクロコントローラは、プラグ素子に電気接続されるとともに、電線を介して少なくとも１の電熱素子に電気接続されて多段式温度制御を実行可能である。少なくとも１の電熱素子は、シリコーンゴム電熱シートである。また、少なくとも１の電池は電線を介してプラグ素子に電気接続される。前記バンドには複数のポケットが縫い付けられ、それぞれに少なくとも１の制御素子と少なくとも１の電池が装入される。
【００２８】
図６に示すように、実施例によっては、前記装着品は電熱インソールであってもよく、インソールの中央にポケットが１つ縫い付けられ、電熱素子が１つ装入される。他の一実施例では、装着品は耳あてであってもよく、耳あての内側にポケットが１つ縫い付けられ、電熱素子が装入される。また、前記電熱手袋、電熱腰サポーター、電熱インソールおよび耳あてに用いられる電池は、５．０ボルトのリチウム電池である。前記電熱インソールおよび電熱耳あてに用いられる電熱素子としては、シリコーンゴム電熱シートが使用される。
【００２９】
以上、本考案の好ましい実施例について述べたが、当業者であれば、これらが本考案の説明のために供されるものであって、本考案が主張する権利範囲を限定するものではないことが理解可能である。本考案の権利範囲は後述の実用新案登録請求の範囲およびこれと同等の領域に定められる。当業者が本特許の精神または範囲を逸脱せずに実施する修正または追加は、いずれも本考案が開示する精神の元に行われる等価の変更または設計に属し、後述の実用新案登録請求の範囲に含まれるものとする。
【符号の説明】
【００３０】
１０２  電熱素子
１０４  制御素子
１０６  電池
２０２  バンド
【図１】
0003196166.tif 000003
【図２】
0003196166.tif 000004
【図３】
0003196166.tif 000005
【図４】
0003196166.tif 000006
【図５】
0003196166.tif 000007
【図６】
0003196166.tif 000008